(57)【特許請求の範囲】
【請求項１】
ケースと、
該ケース内に設置された電気融着継手への通電制御回路と、
該ケース外面に設けられた、該回路の操作用スイッチと
を有する電気融着コントローラにおいて、
該ケースが開閉可能であり、該ケースに吊持ち用の取手が設けられており、
該ケース内にケーブル収容用スペースが設けられており、
該ケースは、ヒンジによって開閉回動可能に連結された１対のケース半体よりなり、該ヒンジはケースの底面部に設けられており、
一方の該ケース半体（以下、前面側ケース半体という。）の外面のうち、該ケースを閉じた状態において他方の該ケース半体（以下、背面側ケース半体という。）と反対側の面（以下、前面側ケース半体の正面という。）に、前記操作用スイッチが設けられており、
該ケースの外面に、前記ケーブル収容用スペースから取り出されたケーブルを前記通電制御回路に接続するための接続部が設けられていることを特徴とする電気融着コントローラ。
【請求項２】
請求項１において、前記前面側ケース半体の正面に、さらに、電気融着作業に関する情報を表示する表示部が設けられていることを特徴とする電気融着コントローラ。
【請求項３】
請求項１又は２において、前記ケーブル収容用スペースに収容された一部のケーブル（以下、ケース内接続ケーブルという。）は、前記ケース内において前記通電制御回路に接続されており、
該ケースには、該ケース内接続ケーブルを該ケース内から該ケース外に延出させるためのケーブル取出口が設けられており、
該ケーブル取出口は、前記前面側ケース半体の側面に配置されており、該ケースを閉じた状態において前記背面側ケース半体の該前面側ケース半体との対向面に臨むように形成されており、
該前面側ケース半体内に該ケーブル収容用スペースが設けられており、
該背面側ケース半体内に該通電制御回路が設けられており、該背面側ケース半体の該前面側ケース半体側は、内部仕切りパネルによって覆われており、
該背面側ケース半体の側面に前記接続部が設けられており、
該ケースの上面部に、該ケースを閉じたときに該前面側ケース半体と背面側ケース半体とを重ね合わせた状態にロックするためのバックルが設けられており、
該背面側ケース半体の上面部に前記取手が設けられていることを特徴とする電気融着コントローラ。
【請求項４】
請求項１ないし３のいずれか１項において、前記ケーブル収容用スペースに臨む前記ケースの内面に、該ケースの内方へ突出する突起状部が設けられており、
前記ケーブルは、この突起状部に巻き付けられるか又は突起状部に引っ掛けられるようにして輪状に巻回されて該ケーブル収容用スペースに収容されていることを特徴とする電気融着コントローラ。
【発明の詳細な説明】
【技術分野】
【０００１】
本発明は電気融着装置のコントローラに関し、更に詳細には内部に電熱線が埋設された樹脂製の継手と樹脂製の管とを、継手の電熱線に電力を供給することにより融着する電気融着装置のコントローラに関する。
【背景技術】
【０００２】
近年、ガス、水道、給湯又は下水等用の管には、ポリエチレン等の熱可塑性樹脂を用いて成形されたものが知られている。これらの管を接合して配管施工する際には、熱可塑性樹脂製の管状の継手（エレクトロフュージョン継手）が用いられている。コントローラによって該継手に通電することにより、継手と管とを相互に融着させて管を接合する（例えば特開平８−１５２０９２）。
【０００３】
従来の電気融着装置として、特開平９−２７７３８２には、第５図に示すものが記載されている。継手１としては、内周面付近の内部に電熱線３が埋設され、電熱線３に接続されたコネクタピン４を外周面に突出させたものが用いられている。この継手１に管２を軸方向に挿入させた後、コントローラ１０により電熱線３に電力を供給して継手１と管２とを融着させている。
【０００４】
このコントローラ１０は、ケース１１の上面に表示装置１２、融着スタートスイッチ１３及び非常停止スイッチ１４を有している。ケース１１からは、商用電源への接続用ケーブル１６と継手１への電力供給用ケーブル１７を延出させてある。この電力供給ケーブル１７の先端にコネクタ１９を設けてある。
【０００５】
このコントローラ１０によれば、継手１のコネクタピン４にコネクタ１９を適切に接続すると、コントローラ１０の内部装置が動作して表示装置１２にコネクタ４が適切に接続された旨の表示がなされる。この表示に従い、融着スタートスイッチ１３をオンにすると、コントローラ１０の内部装置により電力が電力供給ケーブル１７を通じて継手１の電熱線３に供給される。
【０００６】
このようにして所定の電力を所定時間供給すると、電熱線３が加熱されることにより継手１と管２とが融着される。この電力供給時において異常（エラー）が発生した場合には、非常停止スイッチ１４をオンにすると、コントローラ１０の内部装置により継手１の電熱線３への電力供給が停止される。
【先行技術文献】
【特許文献】
【０００７】
【特許文献１】特開平８−１５２０９２
【特許文献２】特開平９−２７７３８２
【発明の概要】
【発明が解決しようとする課題】
【０００８】
上記のコントローラ１０は、箱形のケース１１からケーブル１６，１７が延出したものである。運搬時には、ケーブル１６，１７をケース１１に巻き付けたり、ケーブル１６，１７を輪状に巻いてケース１１に載せたりして、ケース１１を両手で抱えて運ぶようにする。そのため、運搬時に足許が見にくかったり、ケース１１を誤って落としたりする不便があった。
【０００９】
本発明は、このような不便を解消し、運搬が容易な電気融着コントローラを提供することを目的とする。
【課題を解決するための手段】
【００１０】
本発明（請求項１）の電気融着コントローラは、ケースと、該ケース内に設置された電気融着継手への通電制御回路と、該ケース外面に設けられた、該回路の操作用スイッチとを有する電気融着コントローラにおいて、該ケースが開閉可能であり、該ケースに吊持ち用の取手が設けられており、該ケース内にケーブル収容用スペースが設けられており、該ケースは、ヒンジによって開閉回動可能に連結された１対のケース半体よりなり、該ヒンジはケースの底面部に設けられており、一方の該ケース半体（以下、前面側ケース半体という。）の外面のうち、該ケースを閉じた状態において他方の該ケース半体（以下、背面側ケース半体という。）と反対側の面（以下、前面側ケース半体の正面という。）に、前記操作用スイッチが設けられており、該ケースの外面に、前記ケーブル収容用スペースから取り出されたケーブルを前記通電制御回路に接続するための接続部が設けられていることを特徴とするものである。
【００１１】
請求項２の電気融着コントローラは、請求項１において、前記前面側ケース半体の正面に、さらに、電気融着作業に関する情報を表示する表示部が設けられていることを特徴とするものである。  
請求項３の電気融着コントローラは、請求項１又は２において、前記ケーブル収容用スペースに収容された一部のケーブル（以下、ケース内接続ケーブルという。）は、前記ケース内において前記通電制御回路に接続されており、該ケースには、該ケース内接続ケーブルを該ケース内から該ケース外に延出させるためのケーブル取出口が設けられており、該ケーブル取出口は、前記前面側ケース半体の側面に配置されており、該ケースを閉じた状態において前記背面側ケース半体の該前面側ケース半体との対向面に臨むように形成されており、該前面側ケース半体内に該ケーブル収容用スペースが設けられており、該背面側ケース半体内に該通電制御回路が設けられており、該背面側ケース半体の該前面側ケース半体側は、内部仕切りパネルによって覆われており、該背面側ケース半体の側面に前記接続部が設けられており、該ケースの上面部に、該ケースを閉じたときに該前面側ケース半体と背面側ケース半体とを重ね合わせた状態にロックするためのバックルが設けられており、該背面側ケース半体の上面部に前記取手が設けられていることを特徴とするものである。 
請求項４の電気融着コントローラは、請求項１ないし３のいずれか１項において、前記ケーブル収容用スペースに臨む前記ケースの内面に、該ケースの内方へ突出する突起状部が設けられており、前記ケーブルは、この突起状部に巻き付けられるか又は突起状部に引っ掛けられるようにして輪状に巻回されて該ケーブル収容用スペースに収容されていることを特徴とするものである。
【発明の効果】
【００１２】
本発明の電気融着コントローラは、吊持ち用の取手を有した可搬式で開閉可能なケース内にケーブルを収納可能としたものである。この電気融着コントローラを運搬するときには、ケーブルをすべてケース内に収納し、ケースを片手で吊り下げて持ち運ぶことができる。そのため、電気融着コントローラの運搬が容易である。
【図面の簡単な説明】
【００１３】
【図１】実施の形態に係る電気融着コントローラの正面図である。
【図２】図１の電気融着コントローラの右側面図である。
【図３】図１の電気融着コントローラの左側面図である。
【図４】図２（ｂ）のIV−IV線矢視図である。
【図５】従来の電気融着コントローラの説明図である。
【発明を実施するための形態】
【００１４】
以下、第１図〜第４図を参照して実施の形態について説明する。この電気融着コントローラ２０は、直方体形状のケース２１を備えている。このケース２１は、ケース半体２２，２３の底部同士をヒンジ２４で開閉回動可能に連結したものである。ケース半体２２は、ケース２１の前面側を構成するものであり、その正面にスイッチパネル２５が設けられている。このスイッチパネル２５には、エラー表示部２６、セレクトリセット表示部２７、融着準備ＯＫ表示部２８、融着中表示部２９、冷却中表示部３０、終了表示部３１、機器異常表示部３２、パソコン接続要求表示部３３の各表示部が設けられている。これらの表示部は、透光性の樹脂プレート片の背後側に発光器を設けたものであり、発光器が発光することにより表示を示すよう構成されている。スイッチパネル２５には、さらに、セレクトリセットスイッチ３５，融着開始スイッチ３６、リセットスイッチ３７及び緊急停止スイッチ３８が設けられている。
【００１５】
スイッチパネル２５の背後側には、これらの表示部やスイッチの後部を覆うようにカバー４０が取り付けられている。ケース半体２２の左側面には、出力ケーブル取出口４１が設けられている。
【００１６】
ケース半体２２内のカバー４０の上側スペースは、出力ケーブル４２、電源ケーブル４３、バーコードリーダーケーブル４４及びバーコードリーダー４５の収容スペースとなっている。
【００１７】
なお、バーコードリーダー４５にバーコードリーダーケーブル４４の先端が接続されている。このバーコードリーダー４５は、電気融着継手に付された品番表示用バーコードを読み取るものである。
【００１８】
ケース半体２３内には、バーコードリーダー４５で読み込んだ電気融着継手の品番及び気温に基づいて電気融着継手に通電する電流値と時間を演算するための演算回路などが設置されている。ケース半体２３のケース半体２２側は、内部仕切りパネル５０によって覆われている。ケース半体２３の右側面には、バーコードリーダーケーブル４４の末端のコネクタ（図示略）を接続するためのコネクタ５１、電源ケーブル４３の一端のジャック（図示略）を差し込むための電源端子５２、電源のＯＮ，ＯＦＦ用のスイッチ５３が設けられている。
【００１９】
ケース半体２３の上面に取手５５が設けられている。ケース半体２２，２３は前述の通り、ヒンジ２４によって矢印θ（第２図（ｂ））のように開閉可能に連結されている。ケース半体２２，２３を重ね合わせた状態（第２図（ａ））にロックするために、ケース半体２２，２３の上面にバックル５６が設けられている。
【００２０】
このように構成された電気融着コントローラ２０にあっては、運搬するときにはケーブル４２，４３，４４を輪状に巻いてケース半体２２内に収納し、バーコードリーダー４５もケース半体２２内に収納する。なお、この実施の形態では、ケース半体２２内には、ケーブル４３，４４を巻き付けるための棒状の凸部５７，５８が設けられており、ケーブル４３を凸部５７に巻きつけ、ケーブル４４を凸部５８に巻きつけるようにしている。ただし、かかる凸部５７，５８は省略されてもよい。また、この実施の形態では、ケーブル４２を周回状に引き回す際に、該ケーブル４２を掛けるためのガイド用突起５９をケース半体２２内に突設しているが、この突起５９も省略されてもよい。突起５９の代わりに周回する壁状部を設け、ケーブル４２を該壁状部に巻き回してもよい。
【００２１】
ケーブル４２〜４４及びバーコードリーダー４５をケース半体２２内に収納した後、ケース半体２２とケース半体２３とを重ね合わせるようにしてケース２１を閉め、バックル５６をロックする。これにより、取手５５を握って電気融着コントローラ２０を吊り下げるように持ち、容易に運搬することができる。
【００２２】
この電気融着コントローラ２０を用いて継手の電気融着を行うには、電気融着コントローラ２０を現場に運び込み、ケース半体２２を開けてケーブル４２〜４４を及びバーコードリーダー４５を取り出す。なお、出力ケーブル４２の基端は、ケース半体２３内の電源回路にじかに連結されているので、出力ケーブル４２については、取出口４１を通して外部へ延出させる。その後、好ましくは、一旦ケース半体２２を閉め、バックル５６をロックしておく。
【００２３】
次いで、電源ケーブル４３の末端のジャックを端子５２に差し込み、先端に設けられたプラグ（図示略）を商用電源のコンセントに差し込み、スイッチ５３をＯＮとする。
また、出力ケーブル４２の先端を継手の端子に接続する。バーコードリーダーケーブル４４のコネクタをコネクタ５１に差し込み、バーコードリーダー４５で継手のバーコードを読み込む。その後、演算が終了すると、融着準備ＯＫ表示部２８が点灯するので、融着開始スイッチ３６を押す。そうすると、演算回路で演算された通電条件に従って、継手に通電され、電気融着が行われ、この電気融着の途中には、融着中の表示部２９、冷却中の表示部３０、終了の表示部３１が順次に点灯する。なお、エラーや機器に異常が生じたときには、それぞれの表示部２６，３２が点灯するので、緊急停止スイッチ３８を押して作業を停止させる。
【００２４】
上記の実施の形態は、本発明の一例であり、本発明は図示以外の態様とされてもよい。例えば、ケース２１の形状は上記以外であってもよい。また、バーコードケーブル４４が取り出し口４１を介してケース外に延出されているようにしてもよい。
【符号の説明】
【００２５】
２０  電気融着コントローラ
２１  ケース
２２，２３  ケース半体
２４  ヒンジ
４２  出力ケーブル
４３  電源ケーブル
４４  バーコードケーブル
４５  バーコードリーダー
５５  取手
５６  バックル
【図１】
0005440020.tif 000002
【図２】
0005440020.tif 000003
【図３】
0005440020.tif 000004
【図４】
0005440020.tif 000005
【図５】
0005440020.tif 000006